(57)【要約】      （修正有）【課題】既存の建物の構造を活かしつつ、取り付けることができるエレベータ装置を提供する。【解決手段】階段２２の下側に籠５を配置し、籠５の背面両側に籠５を支持しつつ案内するガイドレール３ａ、３ｂを配置し、ガイドレール３ａ、３ｂ内のチェーン３１ａを駆動させて、籠５を昇降させる。籠５が上昇するとともに、階段２２は、籠５によって押し上げられ収納状態となる。籠５の最上位では、階段２２の降り口に、籠５が位置することとなり、階段２２の配置スペースが、籠５の設置スペースとして兼用することができる。【選択図】図１
0003137428.tif 000002
【実用新案登録請求の範囲】
【請求項１】
隣接する階の間を籠が昇降するエレベータ装置であって、
下階と上階との間に架設され、上側に載って上下階の間を登り又は降りるための登坂通路と、
被搬送体を搭載する籠と、
前記籠を、下階の乗降位置と上階の乗降位置との間で昇降移動を案内する案内手段と、
前記籠を昇降移動させるための駆動装置とを備え、
前記登坂通路は、下端が下階に接続された第１登坂路と、下端が第１登坂路の上端に直接的又は間接的に接続され、上端が上階に接続された第２登坂路とを有し、
前記第１登坂路の登坂方向と前記籠への乗込方向が同一であり、
前記第２登坂路は、上方へ揺動移動した収納位置と、斜めに傾斜して配置され登り又は降り可能な待機位置との間で揺動可能に支持され、
前記籠の下階乗降位置は、前記登坂通路の下側に位置し、前記籠が上階乗降位置にある場合には、前記登坂通路は上方へ揺動移動するとともに、
前記第２登坂路と上階との接続位置は、籠の上階乗降位置であることを特徴とするエレベータ装置。
【請求項２】
前記登坂通路は、前記籠によって上方へ押し上げられ収納位置へ移動する請求項１に記載のエレベータ装置。
【考案の詳細な説明】
【技術分野】
【０００１】
本考案は、エレベータ装置にかかり、より詳細には既存の階段に併設することができるエレベータ装置に関する。
【背景技術】
【０００２】
従来一般住宅は、通常２階建が主流であり、エレベータが取り付けられている住宅はすくない。しかしながら住人の高齢化にともないバリアフリー住宅に改造する要請が高くなっている。 
ところで、既存の住宅にエレベータ装置を装備するには、エレベータ装置を取り付けるための敷地が必要となるが、住宅の周囲にエレベータ装置を設ける余裕があるとは限らない。そこで、実用新案登録文献１に示されているように、屋内にある階段を改造して、階段内に設けるエレベータ装置が提案されている。
【実用新案登録文献１】
【０００３】
特開２００６−２３２４１４号
【考案の開示】
【考案が解決しようとする課題】
【０００４】
しかし、上記実用新案登録文献１に記載の技術においては、エレベータ装置を階段が設置されている位置に重ねて設ける構造となっており、既存の建物にエレベータ装置を後付けできる内容となっている。上記公知技術では、階段の構造を変更し、建物自体の構造を変更する必要があるといった問題があった。また、階段自体の幅が狭くなり、かえって不便となるといった欠点があった。 
本考案の目的は、既存の建物の構造を活かしつつ、取り付けることができるエレベータ装置を提供することにある。
【課題を解決するための手段】
【０００５】
以上のような問題を解決する本考案は、以下のような構成を有する。 
（１）  隣接する階の間を籠が昇降するエレベータ装置であって、
下階と上階との間に架設され、上側に載って上下階の間を登り又は降りるための登坂通路と、
被搬送体を搭載する籠と、
前記籠を、下階の乗降位置と上階の乗降位置との間で昇降移動を案内する案内手段と、
前記籠を昇降移動させるための駆動装置とを備え、
前記登坂通路は、下端が下階に接続された第１登坂路と、下端が第１登坂路の上端に直接的又は間接的に接続され、上端が上階に接続された第２登坂路とを有し、
前記第１登坂路の登坂方向と前記籠への乗込方向が同一であり、
前記第２登坂路は、上方へ揺動移動した収納位置と、斜めに傾斜して配置され登り又は降り可能な待機位置との間で揺動可能に支持され、
前記籠の下階乗降位置は、前記登坂通路の下側に位置し、前記籠が上階乗降位置にある場合には、前記登坂通路は上方へ揺動移動するとともに、
前記第２登坂路と上階との接続位置は、籠の上階乗降位置であることを特徴とするエレベータ装置。
【０００６】
（２）  前記登坂通路は、前記籠によって上方へ押し上げられ収納位置へ移動する上記（１）に記載のエレベータ装置。
【考案の効果】
【０００７】
請求項１記載の考案によれば、籠が下階昇降位置にある場合には、登坂通路が待機位置となり、登坂通路を使用して上階と下階との間が、通行可能となる。籠が上昇するとともに、登坂通路が上方に揺動し待機位置から収納位置へ移動する。エレベータ装置が登坂通路の位置に配置されているので、エレベータ装置を配置するスペースを新たに設ける必要がなく、既存の家屋に設けることが容易である。また、家屋の改造も、従来よりも最小限の範囲に抑えることが可能となる。
【０００８】
登坂通路の上階との接続位置は、籠の上階乗降位置であるので、籠の上階昇降位置を新たに設ける必要がない。このため、例えば、既存の家屋にエレベータ装置を取り付ける場合には、改造する範囲をより少なくすることができる。
【０００９】
さらに、前記第１登坂路の登坂方向と前記籠への乗込方向が同一であるため、登坂通路を使用して上階へ上る場合と、籠を利用して上る場合との間で、上り始める向きと、籠に乗込む向きが同じであるため、登坂通路と籠との間で、どちらを利用するかの選択が容易となる。
【００１０】
請求項２記載の考案によれば、前記登坂通路は、前記籠によって上方へ押し上げられる構成であるため、登坂通路を昇降させるための駆動装置に別個に設ける必要がなく、構成を簡易にすることができる。 
【考案を実施するための最良の形態】
【００１１】
以下添付図面に基づいて、本考案の好適実施形態について説明する。図１は、本考案のエレベータ装置１が取り付けられた階段２の構成を示す全体斜視図である。階段２は、登坂通路として機能し、１階（下階）と２階（上階）の間を行き来する際に使用される。階段２は、第１の階段２１と、第２の階段２２と、第１の階段２１と第２の階段２２の間に設けられた踊場２３を有している。 
第１の階段２１は、下端２１１ｂが下階に接続され、上端２１１ａは、踊場２３に接続されている。第２の階段２２は、踊場２３と２階フロアとの間に架設されており、下端部は、踊場２３にヒンジを介して接続されており、下端部を中心として揺動自在に設けられている。第２の階段２２は、踊場２３と２階フロアとの間に架設された状態である待機位置と、図２に示されているように、上方へ揺動して略鉛直姿勢となった収容位置との間で、揺動移動する。
【００１２】
第１の階段２１と、第２の階段２２は、相互に反対方向に向けて架設され、第１の階段２１の上端２１１ａと、第２の階段２２の下端２２３は、踊場２３を介して間接的に接続されている。第１の階段２１の階段を登ると、踊場２３で折り返して、第１の階段２１に対して逆方向へ第２の階段２２を登ることとなる。踊り場２３を設けずに、扇状に形成された床材で構成された階段で、第１の階段２１の上端と第２の階段２２の下端とを直接接続してもよい。また、第２の階段２２の下側面には、後述する籠５のローラ５２ａ、５２ｂが接触するレール２２１ａ、２２１ｂが、両端部にそれぞれ設けられている。
【００１３】
第２の階段２２の下端部には、第２の階段２２の両側に、案内手段であるガイドレール３ａ、３ｂが鉛直方向に配置されている。各ガイドレール３ａ、３ｂは、横断面形状が矩形である中空柱であり、相互に対向する面にスリット３１ａ、３１ｂ（３１ｂは図示外）を有し、内部には、チェーン３２ａ、３２ｂ（３２ｂは図示外）が設けられている。図３は、ガイドレール３ａの内部構造を示す模式図である。ガイドレール３ａとガイドレール３ｂは、対称に形成されており、内部構造は同様であるので、ガイドレール３ａを代表して説明し、ガイドレール３ｂの説明は省略する。 
ガイドレール３ａの上端部と下端部には、それぞれスプロケット３３ａａ、３３ａｂが設けられ、各スプロケット３３ａａ、３３ａｂには、チェーン３２ａが巻き掛けられている。チェーン３２ａの両端部は正面側に位置し、各端部には、後述する籠５の背面に設けられたローラ４１ａ、４２ａを支持する支持部材４１１ａ、４２１ａに、それぞれ接続されている。
【００１４】
上下に配置されている各スプロケット３３ａａ、３３ａｂの各回動軸３３１ａ、３３１ｂは、左右のガイドレール３ａ、３ｂに設けられたスプロケットを連結している。このため、左右のガイドレール３ａ、３ｂ内のチェーン３２ａ、３２ｂは一体として移動するように構成されている。 
図４に示されているように、下端の従動スプロケット３３ａｂの回動軸３３１ｂには、さらにスプロケット３３ｃが設けられている。ガイドレール３ａ、３ｂの近傍に配置された駆動モータＭの出力軸には、駆動スプロケットＳｍが接続され、駆動スプロケットＳｍと従動スプロケット３３ｃには、チェーン３３ｍが巻きかけられている。チェーン３３ｍは、カバーＳｋによって覆われている。このような構成により、駆動モータＭの駆動によって、チェーン３３ｍを介して回動軸３３１ｂが駆動し、さらに左右のスプロケット３３ａｂ、３３ｂｂ（３３ｂｂは図示外）が駆動して、チェーン３２ａ、３２ｂ（３ｂは図示外）に取り付けられた籠５が昇降する。
【００１５】
籠５の背面において、左右側端部には、それぞれ上下方向にフランジ５１ａ、５１ｂが設けられている。各フランジ５１ａ、５１ｂには、ガイドレール３ａ、３ｂに転接するローラが支持されている。以下、片側のフランジ５１ａを代表して説明し、フランジ５１ｂの構成はフランジ５１ａと同様であるので、説明を省略する。フランジ５１ａの上下端部には、それぞれ支持部材４１１ａ、４２１ａが固定されている。 
図５は、支持部材４１１ａとローラ４１ａの支持構造を示す斜視図である。フランジ５１ａ上端部に固定された支持部材４１１ａは、ガイドレール３ａ内へスリット３１ａを介して延出し、先端部上側にチェーン３１ａの一端が接続されている。また、支持部材４１１ａには、ローラ４１ａが回動自在に支持されている。ローラ４１ａは、ガイドレール３ａの正面側内壁面３４ｆに転接している。
【００１６】
図６は、支持部材４２１ａとローラ４２ａの支持構造を示す斜視図である。フランジ５１ａ下端部に固定された支持部材４２１ａは、ガイドレール３ａ内へスリット３１ａを介して延出し、先端部下側にチェーン３１ａの他端が接続されている。また、支持部材４２１ａには、ローラ４２ａが回動自在に支持されている。ローラ４２ａは、ガイドレール３ａの背面側内壁面３４ｂに転接している。 
一方、籠５の上部背面側端部には、ローラ５２ａ、５２ｂが回動自在に支持されており、このローラ５２ａ、５２ｂは、第２の階段２２の下側面に設けられたレール２２１ａ、２２１ｂに転接する。 
籠５の正面側には、扉５０が開閉自在に設けられ、乗り降りする際に、開閉される。
【００１７】
また、図示しないが、一方のガイドレール３ａ又は３ｂには、上部と下部の外側にタッチセンサが配置されている。上昇した籠５が２階の昇降位置に到達した場合に上部のタッチセンサが作動して、駆動モータＭを停止させ、籠５の上昇を停止し、下降した籠５が１階の昇降位置に到達した場合に下部のタッチセンサが作動して、駆動モータＭを停止させ、籠５の下降を停止する。 
フランジ５１ｂにも、同様に支持部材及びローラが設けられ、全体として４つのローラで、籠５を支える構成となっている。籠５は、背面側において２本のチェーン３２ａ、３１ｂで釣られており、籠５の重心がチェーン３２ａ、３１ｂよりも正面側に位置していることから、籠５の重心より上側に位置するローラ４１ａは、ガイドレール３ａの正面側内壁面３４ｆに当接し、重心より下側に位置するローラ４２ａは、ガイドレール３ａの背面側内壁面３４ｂに当接する。 
即ち、ガイドレール３ａ、３ｂと、籠背面に設けられた４つのローラによって、籠５は底面が水平となるように支持されつつ、昇降移動可能な構成となっている。
【００１８】
以上のように構成された本考案のエレベータ装置１は、図１に示されているように、１階に下降している状態で、下階昇降部Ｆｂとなり、扉５０を開けて、出入り口５０１から中へ乗り込む。この状態では、第２の階段２２は、待機状態にあり、第１の階段２１と第２の階段２２によって、１階と２階の間を昇降できる状態となっている。スイッチをオンし、駆動モータＭを駆動させると、チェーン３２ａ、３２ｂが籠５を引き上げる。このとき、ローラ５２ａ、５２ｂは、レール２２１ａ、２２１ｂに転接しつつ、第２の階段２２を押し上げる。第２の階段２２には、ガイドレール３ａ、３ｂと揺動端との間にスプリング２４ａ、２４ｂが架設され、揺動の際の衝撃を緩衝するように構成されている。
【００１９】
籠５の上階乗降位置Ｆａは、第２の階段２２の上端２２２が２階のフロアに接続する位置と同じ位置となっており、階段を使って階下へ降りる場合とエレベータを使う場合とで、降り口は同じ位置となる。 
籠５を下降させる場合には、駆動モータＭを上昇時に対して逆に回転させる。これにより、籠５は下降し、同時に第２の階段２２は、揺動しつつ元の位置へ復帰する。籠５が１階に下降している状態で、下階昇降部Ｆｂは、第１の階段２１の登り口（下端２１１ｂ）に隣接し、第１の階段２１を登る方向と、籠５に乗り込む方向が同一であるように構成されている。このため、図１における矢印Ｅは、乗り込む向きを変えずに、籠５に乗り込む(矢印Ｅ１)か、第１の階段２１を登るか（矢印Ｅ２）を選択でき、利用し易い構成となっている。 
第２の階段２２は、籠５によって押し上げられる構成となっているので、第２の階段２２を動かすための個別の動力源が不要となり、構成を簡易にできるとともに、省力化を図ることとができる。
【００２０】
以上説明した構成のほか、階段は、段差のないスロープであってもよい。また、籠５を昇降させる機構を上記のように、籠５の左右に配置されたチェーンによって、背面側を支持し、これをチェーンの駆動により昇降させる構成としたので、昇降駆動装置がコンパクトとなり、既存の建物に後付けすることが容易となっている。このため、家屋を改良する範囲を最小限に抑えることができる。 
昇降駆動装置としては、籠５をワイヤーで吊り、これを上方に配置した駆動モータで巻き上げる構成としてもよい。
【図面の簡単な説明】
【００２１】
【図１】本考案のエレベータ装置が取り付けられた階段の構成を示す全体斜視図である。
【図２】本考案のエレベータ装置が取り付けられた階段の構成を示す全体斜視図である。
【図３】ガイドレールの構成を示す模式図である。
【図４】駆動装置の構成を示す側面図である。
【図５】上部の支持部材とローラの支持構造を示す斜視図である。
【図６】下部の支持部材とローラの支持構造を示す斜視図である。
【符号の説明】
【００２２】
１  エレベータ装置
２  階段
２２  第２の階段
３ａ、３ｂ  ガイドレール
Ｍ  駆動モータ
【図１】
0003137428.tif 000003
【図２】
0003137428.tif 000004
【図３】
0003137428.tif 000005
【図４】
0003137428.tif 000006
【図５】
0003137428.tif 000007
【図６】
0003137428.tif 000008